(57)【要約】  モバイル電源のリース端末は、ＣＰＵと、ＣＰＵにそれぞれ接続されたネットワーク通信モジュールとメイン制御ＭＣＵと、メイン制御ＭＣＵにそれぞれ接続された少なくとも１つの充電モジュールと少なくとも１つの充電キャビネット動き駆動モータと少なくとも１つのモバイル電源情報読み取りモジュールを含み、各充電キャビネットは、１つの充電モジュールと１つの充電キャビネット動き駆動モータと１つのモバイル電源情報読み取りモジュールに対応する。本発明を用いて、ユーザが外にいるとき、セルフサービスの方法で、モバイル電源のリース端末からモバイル電源がリースされ、これにより、ユーザに柔軟な充電サービスを提供できる。
2018505647.tif 000002
【特許請求の範囲】
【請求項１】
モバイル電源のリース端末であって、
前記リース端末は、ＣＰＵと、前記ＣＰＵにそれぞれ接続されたネットワーク通信モジュールとメイン制御ＭＣＵと、前記メイン制御ＭＣＵにそれぞれ接続された少なくとも１つの充電モジュールと少なくとも１つの充電キャビネット動き駆動モータと少なくとも１つのモバイル電源情報読み取りモジュールを含み、各充電キャビネットは、１つの充電モジュールと１つの充電キャビネット動き駆動モータと１つのモバイル電源情報読み取りモジュールに対応し、
前記ＣＰＵは、前記ネットワーク通信モジュールによってクラウドサーバから受信されたリース命令にしたがって、対応するリース制御命令を生成するために前記メイン制御ＭＣＵを制御するために使用され、充電管理制御命令を生成するために前記メイン制御ＭＣＵを制御するためにも使用され、及び、前記メイン制御ＭＣＵによって取得された情報を受信して、前記ネットワーク通信モジュールを介して前記情報を前記クラウドサーバにフィードバックするためにも使用され、
前記メイン制御ＭＣＵは、前記充電キャビネットにおいて前記モバイル電源を充電するために、前記充電モジュールを制御するための前記充電管理制御命令を生成するために使用され、前記充電キャビネット動き駆動モータの正転と逆転を制御するための前記リース制御命令を生成するためにも使用され、前記モバイル電源情報読み取りモジュールから、前記モバイル電源に関連する情報を得るためにも使用され、
前記充電モジュールは、前記充電キャビネットにおける前記モバイル電源を充電するために使用され、
前記充電キャビネット動き駆動モータは、前記モバイル電源を、前記充電キャビネット中に、又は、前記充電キャビネットから移すために使用され、
前記モバイル電源情報読み取りモジュールは、そこに接続された前記モバイル電源に関連する情報を読み取るために使用される、という点において特徴付けられる、
リース端末。
【請求項２】
前記リース端末は、前記メイン制御ＭＣＵに接続された少なくとも１つの充電キャビネットドア駆動モータも含み、各充電キャビネットは充電キャビネットドア駆動モータに対応し、
前記メイン制御ＭＣＵは、前記充電キャビネットドア駆動モータの前記正転と前記逆転を制御するためのリース制御命令を生成するためにも使用され、
前記充電キャビネットドア駆動モータは、前記充電キャビネットドアを開けて閉じるために使用される、という点で特徴付けられる、請求項１に記載のリース端末。
【請求項３】
前記リース端末は、前記メイン制御ＭＣＵに接続された少なくとも１つの充電キャビネットドアセンサも含み、各充電キャビネットは、１つの充電キャビネットドアセンサに対応し、
前記充電キャビネットドアセンサは、充電キャビネットドアの開／閉状態を判断するために使用され、
前記メイン制御ＭＣＵは、前記充電キャビネットドアセンサから、前記充電キャビネットドアの前記開／閉状態の情報を得るためにも使用される、という点で特徴付けられる、請求項２に記載のリース端末。
【請求項４】
前記リース端末は、前記メイン制御ＭＣＵに接続された少なくとも１つの第１の光電子センサも含み、各充電キャビネットは、１つの第１の光電子センサに対応し、
前記第１の光電子センサは、前記モバイル電源が前記充電キャビネット中にあるか否かを判断するために使用され、
前記メイン制御ＭＣＵは、前記第１の光電子センサから、前記モバイル電源が前記充電キャビネット中にあるか否かについての情報を得るためにも使用され、
又は、
前記リース端末は、前記メイン制御ＭＣＵに接続された２つの第１の光電子センサも含み、各充電キャビネットは、２つの第１の光電子センサに対応し、ここにおいて、１つの第１の光電子センサは、前記モバイル電源が前記充電キャビネットドアに位置付けられているか否かを判断するために使用され、別の第１の光電子センサは、前記モバイル電源が取り除かれたか否かを判断するために使用され、前記メイン制御ＭＣＵは、前記２つの第１の光電子センサから、前記モバイル電源が、前記充電キャビネットドアに位置付けられているか否かについての情報と、前記モバイル電源が取り除かれたか否かについての情報を取得するためにも使用される、という点で特徴付けられる、請求項１に記載のリース端末。
【請求項５】
前記リース端末は、前記メイン制御ＭＣＵに接続された少なくとも１つの適所検出センサも含み、各充電キャビネットは、１つの適所検出センサに対応し、
前記適所検出センサは、前記モバイル電源が前記充電位置に移されたか否かを判断するために使用され、
前記メイン制御ＭＣＵは、前記適所検出センサから、前記モバイル電源が前記充電位置に移されたか否かについての情報を得るためにも使用される、という点で特徴付けられる、請求項１に記載のリース端末。
【請求項６】
前記リース端末は前記ＣＰＵに接続された入力モジュールも含み、前記入力モジュールは戻す命令を入力するために使用される、という点で特徴付けられる、請求項１に記載のリース端末。
【請求項７】
前記リース端末は前記ＣＰＵに接続された出力モジュールも含み、前記出力モジュールは、前記モバイル電源の前記リース端末の識別番号及び／又はプロンプト情報を出力するために使用される、という点で特徴付けられる、請求項１又は６に記載のリース端末。
【請求項８】
前記リース端末は、前記ＣＰＵに接続されたリサイクリング倉庫制御モジュールと、前記リサイクリング倉庫制御モジュールにそれぞれ接続された第２の光電子センサとリサイクリング倉庫ドア駆動モータも含み、
前記リサイクリング倉庫制御モジュールは、前記リサイクリング倉庫ドア駆動モータの正転と逆転を制御するために使用され、前記第２の光電子センサから、前記モバイル電源が前記リサイクリング倉庫中に置かれたか否かについての情報を得るためにも使用され、
前記リサイクリング倉庫ドア駆動モータは、前記リサイクリング倉庫ドアを開ける又は閉じるために使用され、
前記第２の光電子センサは、前記モバイル電源が前記リサイクリング倉庫中に置かれたか否かを判断するために使用され、
前記ＣＰＵは、倉庫を開ける又は閉じる命令を前記リサイクリング倉庫制御モジュールに送信するためにも使用され、前記リサイクリング倉庫制御モジュールによって取得された情報を前記第２の光電子センサから受信して、前記情報を前記ネットワーク通信モジュールを介して前記クラウドサーバにフィードバックするためにも使用される、という点で特徴付けられる、請求項１に記載のリース端末。
【請求項９】
前記リース端末は、前記ＣＰＵに接続された少なくとも１つの販売ライン制御モジュールと、前記販売ライン制御モジュールにそれぞれ接続された第３の光電子センサと販売ライン制御モータも含み、
前記販売ライン制御モジュールは、前記販売ライン制御モータの正転と逆転を制御するために使用され、前記第３の光電子センサから、データラインが伸びるか否かについての情報を取得するためにも使用され、
前記第３の光電子センサは、前記データラインが伸びるか否かを判断するために使用され、
前記ＣＰＵは、販売ライン命令を前記販売ライン制御モジュールに送信するためにも使用され、前記販売ライン制御モジュールによって取得された情報を前記第３の光電子センサから受信して、前記情報を前記ネットワーク通信モジュールを介して前記クラウドサーバにフィードバックするためにも使用される、という点で特徴付けられる、請求項１に記載のリース端末。
【請求項１０】
前記リース端末は、前記ＣＰＵに接続された少なくとも１つの滅菌モジュールも含み、１つの滅菌モジュールは、１つ以上の充電キャビネットに対応する、という点で特徴付けられる、請求項１に記載のリース端末。
【発明の詳細な説明】
【技術分野】
【０００１】
[0001]  本発明は電気の分野に属し、特に、モバイル電源のリース端末に属する。
【背景技術】
【０００２】
[0002]  生活水準の向上とともに、携帯電話、ＩＰＡＤｓ及びノートパソコンは、ビジネスマンや大学生にとって必須の電気製品になった。特に、携帯電話は、誰もが持つ電気製品である。携帯電話アプリケーションの機能が多様化されるにつれ、電力消費は徐々に増加され、従って、ユーザの携帯電話は、ほんの数時間で電力が尽き得る。例えば、ユーザが朝家を出るときに携帯電話が完全に充電されたとしても、それは正午までに電力が尽きるので、ユーザは、携帯電話を充電するためにオフィス又は家に帰るまで待つしかできない。これはユーザの仕事や生活に深刻な影響を有する。
【発明の概要】
【０００３】
[0003]  本発明の目的は、モバイル電源のリース端末を提供することであり、これは、先行技術において、ユーザが外にいるとき、電気製品に対して柔軟な充電サービスを提供することが不可能であるという問題を解決することを目的とする。
【０００４】
[0004]  本発明は、モバイル電源のリース端末を提供する。リース端末は、ＣＰＵと、ＣＰＵにそれぞれ接続されたネットワーク通信モジュールとメイン制御ＭＣＵと、メイン制御ＭＣＵにそれぞれ接続された少なくとも１つの充電モジュールと少なくとも１つの充電キャビネット動き駆動モータと少なくとも１つのモバイル電源情報読み取りモジュールを含み、各充電キャビネットは、１つの充電モジュールと１つの充電キャビネット動き駆動モータと１つのモバイル電源情報読み取りモジュールに対応する。  
ＣＰＵは、ネットワーク通信モジュールによってクラウドサーバから受信されたリース命令（leasing instruction）にしたがって、対応するリース制御命令（leasing control instruction）を生成するためにメイン制御ＭＣＵを制御するために使用され、充電管理制御命令（charging management control instruction）を生成するためにメイン制御ＭＣＵを制御するためにも使用され、及び、メイン制御ＭＣＵによって取得された情報を受信して、ネットワーク通信モジュールを介して情報をクラウドサーバにフィードバックするためにも使用される。  
メイン制御ＭＣＵは、充電キャビネットにおいてモバイル電源を充電するために、充電モジュールを制御するための充電管理制御命令を生成するために使用され、充電キャビネット動き駆動モータの正転と逆転を制御するためのリース制御命令を生成するためにも使用され、モバイル電源情報読み取りモジュールから、モバイル電源に関連する情報を得るためにも使用される。  
充電モジュールは、充電キャビネットにおけるモバイル電源を充電するために使用される。  
充電キャビネット動き駆動モータは、モバイル電源を、充電キャビネット中に、又は、充電キャビネットから移すために使用される。  
モバイル電源情報読み取りモジュールは、そこに接続されたモバイル電源に関連する情報を読み取るために使用される。
【０００５】
[0005]  さらに、リース端末は、メイン制御ＭＣＵに接続された少なくとも１つの充電キャビネットドア駆動モータも含み、各充電キャビネットは充電キャビネットドア駆動モータに対応する。  
メイン制御ＭＣＵは、充電キャビネットドア駆動モータの正転と逆転を制御するためのリース制御命令を生成するためにも使用される。  
充電キャビネットドア駆動モータは、充電キャビネットドアを開けて閉じるために使用される。
【０００６】
[0006]  さらに、リース端末は、メイン制御ＭＣＵに接続された少なくとも１つの充電キャビネットドアセンサも含み、各充電キャビネットは、１つの充電キャビネットドアセンサに対応する。  
充電キャビネットドアセンサは、充電キャビネットドアの開／閉状態を判断するために使用される。  
メイン制御ＭＣＵは、充電キャビネットドアセンサから、充電キャビネットドアの開／閉状態の情報を得るためにも使用される。
【０００７】
[0007]  さらに、リース端末は、メイン制御ＭＣＵに接続された少なくとも１つの第１の光電子センサも含み、各充電キャビネットは、１つの第１の光電子センサに対応する。  
第１の光電子センサは、モバイル電源が充電キャビネット中にあるか否かを判断するために使用される。  
メイン制御ＭＣＵは、第１の光電子センサから、モバイル電源が充電キャビネット中にあるか否かについての情報を得るためにも使用される。  
又は、
リース端末は、メイン制御ＭＣＵに接続された２つの第１の光電子センサも含み、各充電キャビネットは、２つの第１の光電子センサに対応し、ここにおいて、１つの第１の光電子センサは、モバイル電源が充電キャビネットドアに位置付けられているか否かを判断するために使用され、他方の第１の光電子センサは、モバイル電源が取り除かれたか否かを判断するために使用され、メイン制御ＭＣＵは、２つの第１の光電子センサから、モバイル電源が、充電キャビネットドアに位置付けられているか否かについての情報と、モバイル電源が取り除かれたか否かについての情報を取得するためにも使用される。
【０００８】
[0008]  さらに、リース端末は、メイン制御ＭＣＵに接続された少なくとも１つの適所（in-position）検出センサも含み、各充電キャビネットは、１つの適所検出センサに対応する。  
適所検出センサは、モバイル電源が充電位置に移されたか否かを判断するために使用される。  
メイン制御ＭＣＵは、適所検出センサから、モバイル電源が充電位置に移されたか否かについての情報を得るためにも使用される。
【０００９】
[0009]  さらに、リース端末はＣＰＵに接続された入力モジュールも含み、入力モジュールは戻す命令を入力するために使用される。
【００１０】
[0010]  さらに、リース端末はＣＰＵに接続された出力モジュールも含み、出力モジュールは、モバイル電源のリース端末の識別番号及び／又はプロンプト情報を出力するために使用される。
【００１１】
[0011]  さらに、リース端末は、ＣＰＵに接続されたリサイクリング倉庫制御モジュールと、リサイクリング倉庫制御モジュールにそれぞれ接続された第２の光電子センサとリサイクリング倉庫ドア駆動モータも含み、
リサイクリング倉庫制御モジュールは、リサイクリング倉庫ドア駆動モータの正転と逆転を制御するために使用され、第２の光電子センサから、モバイル電源がリサイクリング倉庫中に置かれたか否かについての情報を得るためにも使用され、
リサイクリング倉庫ドア駆動モータは、リサイクリング倉庫ドアを開ける又は閉じるために使用され、
第２の光電子センサは、モバイル電源がリサイクリング倉庫中に置かれたか否かを判断するために使用され、
ＣＰＵは、倉庫を開ける又は閉じる命令をリサイクリング倉庫制御モジュールに送信するためにも使用され、リサイクリング倉庫制御モジュールによって取得された情報を第２の光電子センサから受信して、情報をネットワーク通信モジュールを介してクラウドサーバにフィードバックするためにも使用される。
【００１２】
[0012]  さらに、リース端末は、ＣＰＵに接続された少なくとも１つの販売ライン制御モジュールと、販売ライン制御モジュールにそれぞれ接続された第３の光電子センサと販売ライン制御モータも含み、
販売ライン制御モジュールは、販売ライン制御モータの正転と逆転を制御するために使用され、第３の光電子センサから、データラインが伸びるか否かについての情報を取得するためにも使用され、
第３の光電子センサは、データラインが伸びるか否かを判断するために使用され、
ＣＰＵは、販売ライン命令を販売ライン制御モジュールに送信するためにも使用され、販売ライン制御モジュールによって取得された情報を第３の光電子センサから受信して、情報をネットワーク通信モジュールを介してクラウドサーバにフィードバックするためにも使用される。
【００１３】
[0013]  本発明において、モバイル電源のリース端末は、ＣＰＵと、ＣＰＵにそれぞれ接続されたネットワーク通信モジュールとメイン制御ＭＣＵと、メイン制御ＭＣＵにそれぞれ接続された少なくとも１つの充電モジュールと少なくとも１つの充電キャビネット動き駆動モータと少なくとも１つのモバイル電源情報読み取りモジュールを含むので、ここにおいて、各充電キャビネットは、１つの充電モジュールと、１つの充電キャビネット動き駆動モータと、１つのモバイル電源情報読み取りモジュールに対応する。したがって、ユーザが外にいるとき、セルフサービスの方法で、モバイル電源のリース端末からモバイル電源がリースされ、これにより、ユーザに柔軟な充電サービスを提供できる。
【図面の簡単な説明】
【００１４】
【図１】[0014]  図１は、本発明の実施形態１において提供されるモバイル電源のリース端末の構造上のダイヤグラムである。
【図２】[0015]  図２は、本発明の実施形態２において提供されるモバイル電源のリース端末の構造上のダイヤグラムである。
【図３】[0016]  図３は、本発明の実施形態３において提供されるモバイル電源のリース端末の構造上のダイヤグラムである。
【図４】[0017]  図４は、本発明の実施形態４において提供されるモバイル電源のリース端末の構造上のダイヤグラムである。
【実施形態の詳細な説明】
【００１５】
[0018]  本発明の目的、技術的解決法、及び有利な効果を、より明確に、及び、より理解可能にするために、本発明は、付随する図面と実施形態を参照して詳細にさらに記述される。ここで記述される特定の実施形態は、本発明を限定するよりもむしろ、本発明を説明するためにのみ使用されることが理解されるべきである。
【００１６】
[0019]  本発明の技術的解決法を記述するために、以下の特定の実施形態が、説明のために提示される。
【００１７】
[0020]  実施形態１：
図１を参照して、本発明の実施形態１において提供されるモバイル電源のリース端末は、ＣＰＵ１１と、ＣＰＵ１１にそれぞれ接続されたネットワーク通信モジュール１２とメイン制御ＭＣＵ１３と、メイン制御ＭＣＵ１３にそれぞれ接続された少なくとも１つの充電モジュール１４と少なくとも１つの充電キャビネット動き駆動モータ１５と少なくとも１つのモバイル電源情報読み取りモジュール１６を含む。
【００１８】
[0021]  ここにおいて、充電モジュール１４、充電キャビネット動き駆動モータ１５、及び、モバイル電源情報読み取りモジュール１６は、等しい数である。各充電キャビネットは、１つの充電モジュール１４と、１つの充電キャビネット動き駆動モータ１５と、１つのモバイル電源情報読み取りモジュール１６に対応する。充電キャビネット動き駆動モータ１５は、ソフトウェア制御を用いて、モータ回転スピード及び距離を正確に制御できる、ステッパーモータであり得る。これは、機械的衝撃を低減し、故障を低減し、及び、サービス寿命を延ばし得る。
【００１９】
[0022]  本発明の実施形態１において提供されるモバイル電源のリース端末の動作原理は、以下である。  
ＣＰＵ１１は、クラウドサーバからネットワーク通信モジュール１２によって受信されたリース命令にしたがって、対応するリース制御命令を生成するために、メイン制御ＭＣＵ１３を制御するために使用される。ＣＰＵ１１はまた、充電管理制御命令を生成するように、メイン制御ＭＣＵ１３を制御するために使用される。ＣＰＵ１１はまた、メイン制御ＭＣＵ１３によって取得された情報を受信するために、及び、ネットワーク通信モジュール１２を介してクラウドサーバに情報をフィードバックするために使用される。ここにおいて、リース命令は、借りる命令（borrow instruction）及び／又は戻す命令（return instruction）を含む。メイン制御ＭＣＵ１３は、充電キャビネットにおいてモバイル電源を充電するために充電モジュール１４を制御するための充電管理制御命令を生成するために使用され、そしてまた、充電キャビネット動き駆動モータ１５の正転及び反転を制御するためのリース制御命令を生成するために使用され、そしてまた、モバイル電源情報読み取りモジュール１６から、モバイル電源に関連する情報を得るために使用される。充電モバイル１４は、充電キャビネットにおいてモバイル電源を充電するために使用される。充電キャビネット動き駆動モータ１５は、充電キャビネット中に、又は、充電キャビネットから、モバイル電源を移すために使用される。モバイル電源情報読み取りモジュール１６は、モバイル電源の電気量や識別番号等のような、そこに接続されたモバイル電源に関連する情報を読み取るために使用される。
【００２０】
[0023]  例えば、ユーザが、携帯電話のＡＰＰからモバイル電源のリース端末の識別番号を取得して、モバイル電源のリース端末からモバイル電源を借りる命令をクラウドサーバに送信するとき、クラウドサーバは、モバイル電源を借りる命令をモバイル電源のリース端末に送信し、ネットワーク通信モジュールは、モバイル電源を借りる命令をクラウドサーバから受信し、ＣＰＵは、モバイル電源を借りる命令にしたがって、モバイル電源を借りるための対応する制御命令を生成するために、メイン制御ＭＣＵを制御する。メイン制御ＭＣＵが、モバイル電源を借りるための対応する制御命令を生成した後、メイン制御ＭＣＵは、モバイル電源を有する充電キャビネットのうちの１つ以上に対応された、充電キャビネット動き駆動モータを、正方向に回転するように制御する（正転するためのモバイル電源を有する複数の充電キャビネットに対応された、充電キャビネット動き駆動モータを制御する前提条件は、借りられるための複数のモバイル電源があるとき、である）。充電キャビネット動き駆動モータは、ユーザの携帯電話のような電気製品を充電するために、モバイル電源を充電キャビネットから移す。モバイル電源が充電キャビネットから移される前、メイン制御ＭＣＵは、モバイル電源の識別番号のようなモバイル電源に関連する情報を、モバイル電源情報読み取りモジュールから得て、ＣＰＵは、メイン制御ＭＣＵによって取得された情報を受信して、ネットワーク通信モジュールを介してそれをクラウドサーバにフィードバックする。その後、クラウドサーバは、借りられたモバイル端末の情報についてユーザに指示するために、携帯電話のＡＰＰに情報をフィードバックする。
【００２１】
[0024]  ユーザが、携帯電話のＡＰＰからモバイル電源のリース端末の識別番号を取得して、モバイル電源のリース端末にモバイル電源を戻す命令をクラウドサーバに送信するとき、クラウドサーバは、モバイル電源を戻す命令をモバイル電源のリース端末に送信し、ネットワーク通信モジュールは、モバイル電源を戻す命令をクラウドサーバから受信し、ＣＰＵは、モバイル電源を戻す命令にしたがって、モバイル電源を戻すための対応する制御命令を生成するために、メイン制御ＭＣＵを制御する。メイン制御ＭＣＵが、モバイル電源を戻すための対応する制御命令を生成した後、メイン制御ＭＣＵは、モバイル電源を有さない充電キャビネットのうちの１つ以上に対応された、充電キャビネット動き駆動モータを、逆方向に回転するように制御する（逆転するためのモバイル電源を有さない複数の充電キャビネットに対応された、充電キャビネット動き駆動モータを制御する前提条件は、戻されるべき複数のモバイル電源があるとき、である）。充電キャビネット動き駆動モータは、モバイル電源を充電キャビネット中に移す。さらに、モバイル電源を戻すとき、戻す命令は、クラウドサーバを介しては送信され得ないが、戻す命令は、モバイル電源のリース端末上で直接入力されてもよく、その後、ＣＰＵは、対応する動作を実行する。詳細については、実施形態４を参照されたい。モバイル電源が充電キャビネット中に移された後、メイン制御ＭＣＵは、モバイル電源の識別番号のようなモバイル電源に関連する情報を、モバイル電源情報読み取りモジュールから得て、ＣＰＵは、メイン制御ＭＣＵによって取得された情報を受信して、ネットワーク通信モジュールを介してそれをクラウドサーバにフィードバックする。その後、クラウドサーバは、戻されたモバイル端末の情報についてユーザに促すために、携帯電話のＡＰＰに情報をフィードバックする。
【００２２】
[0025]  本発明の実施形態１において、モバイル電源のリース端末は、ＣＰＵと、ＣＰＵにそれぞれ接続されたネットワーク通信モジュールとメイン制御ＭＣＵと、メイン制御ＭＣＵにそれぞれ接続された少なくとも１つの充電モジュールと、少なくとも１つの充電キャビネット動き駆動モータと、少なくとも１つのモバイル電源情報読み取りモジュールを含み、ここにおいて、各充電キャビネットは、１つの充電モジュールと、１つの充電キャビネット動き駆動モータと、１つのモバイル電源情報読み取りモジュールに対応する。したがって、ユーザが外にいるとき、セルフサービスの方法で、モバイル電源のリース端末からモバイル電源がリースされ、これにより、ユーザに柔軟な充電サービスを提供できる。
【００２３】
[0026]  実施形態２：
図２を参照すると、本発明の実施形態２において提供されるモバイル電源のリース端末は、ＣＰＵ２１と、ＣＰＵ２１にそれぞれ接続されたネットワーク通信モジュール２２とメイン制御ＭＣＵ２３と、メイン制御ＭＣＵ２３にそれぞれ接続された少なくとも１つの充電モジュール２４と少なくとも１つの充電キャビネット動き駆動モータ２５と少なくとも１つのモバイル電源情報読み取りモジュール２６と少なくとも１つの充電キャビネットドア駆動モータ２７と少なくとも１つの充電キャビネットドアセンサ２８を含む。
【００２４】
[0027]  ここにおいて、充電モジュール２４、充電キャビネット動き駆動モータ２５、モバイル電源情報読み取りモジュール２６、充電キャビネットドア駆動モータ２７、及び、充電キャビネットドアセンサ２８は、等しい数である。各充電キャビネットは、１つの充電モジュール２４と、１つの充電キャビネット動き駆動モータ２５と、１つのモバイル電源情報読み取りモジュール２６と、１つの充電キャビネットドア駆動モータ２７、及び、１つの充電キャビネットドアセンサ２８に対応する。充電キャビネット動き駆動モータ２５と充電キャビネットドア駆動モータ２７は、ソフトウェア制御を用いて、モータ回転スピード及び距離を正確に制御できる、ステッパーモータであり得る。これは、機械的衝撃を低減し、故障を低減し、及び、サービス寿命を延ばし得る。
【００２５】
[0028]  本発明の実施形態２において提供されるモバイル電源のリース端末は、本発明の実施形態１において提供されるモバイル電源のリース端末とは、本発明の実施形態２において提供されるモバイル電源のリース端末の充電キャビネットが充電キャビネットドアも含むという点で異なる。したがって、回路構造は、充電キャビネットドア駆動モータ２７と充電キャビネットドアセンサ２８も含む。本発明の実施形態２において提供されるモバイル電源のリース端末において、メイン制御ＭＣＵ２３は、充電キャビネットにおいてモバイル電源を充電するように充電モジュール２４を制御するための充電管理制御命令を生成するために使用され、そしてまた、充電キャビネット動き駆動モータ２５及び充電キャビネットドア駆動モータ２７の正転及び反転を制御するためのリース制御命令を生成するために使用され、そしてまた、モバイル電源情報読み取りモジュール２６から、モバイル電源に関連する情報を得るために使用され、そしてまた、充電キャビネットドアセンサ２８から、充電キャビネットドアの開／閉状況の情報を得るために使用される。充電キャビネットドア駆動モータ２７は、充電キャビネットドアを開いて閉じるために使用される。充電キャビネットドアセンサ２８は、充電キャビネットドアの開／閉状況を判断するために使用される。
【００２６】
[0029]  ユーザがモバイル電源を借りたいとき、メイン制御ＭＣＵは、モバイル電源を借りるための対応する制御命令を生成し、その後、メイン制御ＭＣＵは、モバイル電源を有する充電キャビネットのうちの１つ以上に対応された、充電キャビネットドア駆動モータ２７を正方向に回転するように制御する（正転するためのモバイル電源を有する複数の充電キャビネットに対応された、充電キャビネット動き駆動モータを制御する前提条件は、借りられるための複数のモバイル電源があるとき、である）。充電キャビネット駆動モータ２７は、充電キャビネットドアを開け、その間、充電キャビネットドアセンサ２８は、充電キャビネットドアの開／閉状況を判断する。充電キャビネットドアが正常に開かれた場合、充電キャビネット動き駆動モータは、正方向に回転するように制御され、充電キャビネット動き駆動モータは、ユーザのために携帯電話のような電気製品を充電するように、充電キャビネットからモバイル電源を移す。最後に、充電キャビネットドア駆動モータ２７は、逆方向に回転するように制御される。充電キャビネットドア駆動モータ２７は、充電キャビネットドアを閉じる。この時、充電キャビネットドアセンサ２８は、充電キャビネットドアの開／閉状況を判断する。充電キャビネットドアがうまく閉じられない場合、端末は、充電キャビネットドアが閉じられるまで、閉じるステップを繰り返す。
【００２７】
[0030]  ユーザがモバイル電源を戻したいとき、メイン制御ＭＣＵは、モバイル電源を戻すための対応する制御命令を生成し、その後、メイン制御ＭＣＵは、モバイル電源を有さない充電キャビネットのうちの１つ以上に対応された、充電キャビネットドア駆動モータ２７を、正方向に回転するように制御する（正転するためのモバイル電源を有さない複数の充電キャビネットに対応された充電キャビネットドア駆動モータを制御する前提条件は、戻されるべき複数のモバイル電源があるとき、である）。充電キャビネット駆動モータ２７は、充電キャビネットドアを開け、その間、充電キャビネットドアセンサ２８は、充電キャビネットドアの開／閉状況を判断する。充電キャビネットドアが正常に開かれた場合、充電キャビネット動き駆動モータは、逆方向に回転するように制御され、充電キャビネット動き駆動モータは、充電キャビネット中にモバイル電源を移す。最後に、充電キャビネットドア駆動モータ２７は、逆方向に回転するように制御される。充電キャビネットドア駆動モータ２７は、充電キャビネットドアを閉じる。この時、充電キャビネットドアセンサ２８は、充電キャビネットドアの開／閉状況を判断する。充電キャビネットドアがうまく閉じられない場合、端末は、充電キャビネットドアが閉じられるまで、閉じるステップを繰り返す。
【００２８】
[0031]  実施形態３：
図３を参照すると、本発明の実施形態３において提供されるモバイル電源のリース端末は、ＣＰＵ３１と、ＣＰＵ３１にそれぞれ接続されたネットワーク通信モジュール３２とメイン制御ＭＣＵ３３と、メイン制御ＭＣＵ３３にそれぞれ接続された、少なくとも１つの充電モジュール３４と、少なくとも１つの充電キャビネット動き駆動モータ３５と、少なくとも１つのモバイル電源情報読み取りモジュール３６と、少なくとも１つの充電キャビネットドア駆動モータ３７と、少なくとも１つの充電キャビネットドアセンサ３８と、少なくとも１つの第１の光電子センサ３９と、少なくとも１つの適所検出センサ４０とを含む。
【００２９】
[0032]  ここにおいて、充電モジュール３４、充電キャビネット動き駆動モータ３５、モバイル電源情報読み取りモジュール３６、充電キャビネットドア駆動モータ３７、充電キャビネットドアセンサ３８、第１の光電子センサ３９、及び、適所検出センサ４０は、等しい数である。各充電キャビネットは、１つの充電モジュール３４と、１つの充電キャビネット動き駆動モータ３５と、１つのモバイル電源情報読み取りモジュール３６と、１つの充電キャビネットドア駆動モータ３７と、１つの充電キャビネットドアセンサ３８と、１つの第１の光電子センサ３９と、１つの適所検出センサ４０に対応する。充電キャビネット動き駆動モータ３５と充電キャビネットドア駆動モータ３７は、ソフトウェア制御を用いてモータ回転スピード及び距離を正確に制御できるステッパーモータであり得る。これは、機械的衝撃を低減し、故障を低減し、及び、サービス寿命を延ばし得る。
【００３０】
[0033]  本発明の実施形態３において提供されるモバイル電源のリース端末は、本発明の実施形態１及び実施形態２において提供されるモバイル電源のリース端末とは、主に、本発明の実施形態３において提供されるモバイル電源のリース端末が、少なくとも１つの第１の光電子センサ３９と少なくとも１つの適所検出センサ４０も含むという点で異なる。本発明の実施形態３において提供されるモバイル電源のリース端末において、メイン制御ＭＣＵ３３は、充電キャビネットにおいてモバイル電源を充電するために充電モジュール３４を制御するための充電管理制御命令を生成するために使用され、そしてまた、充電キャビネット動き駆動モータ３５及び充電キャビネットドア駆動モータ３７の正転及び反転を制御するためのリース制御命令を生成するために使用され、そしてまた、モバイル電源情報読み取りモジュール３６から、モバイル電源に関連する情報を得るために使用され、そしてまた、第１の光電子センサ３９から、モバイル電源が充電キャビネット中にあるか否かについての情報を得るために、適所検出センサ４０から、モバイル電源が充電位置に移されたか否かについての情報を得るために使用される。第１の光電子センサ３９は、モバイル電源が充電キャビネット中にあるか否かを判断するために使用される。適所検出センサ４０は、モバイル電源が充電位置に移されたか否かを判断するために使用される。
【００３１】
[0034]  本発明の実施形態３において、モバイル電源のリース端末は、メイン制御ＭＣＵに接続された２つの第１の光電子センサも含んでもよく、各充電キャビネットは、２つの第１の光電子センサに対応し、ここにおいて、１つの第１の光電子センサは、モバイル電源が充電キャビネットドアに位置付けられているか否かを判断するために使用され、別の第１の光電子センサは、モバイル電源が取り除かれたか否かを判断するために使用され、メイン制御ＭＣＵは、２つの第１の光電子センサから、モバイル電源が、充電キャビネットドアに位置付けられているか否かについての情報と、モバイル電源が取り除かれたか否かについての情報を取得するためにも使用される。
【００３２】
[0035]  ユーザがモバイル電源を借りたい又は戻したいとき、メイン制御ＭＣＵは、モバイル電源を借りる又は戻すための対応する制御命令を生成し、その後、メイン制御ＭＣＵは、第１の光電子センサから、モバイル電源が充電キャビネット中にあるか否かについての情報を取得し、生成されたものがモバイル電源を借りる制御命令であるとき、メイン制御ＭＣＵは、対応する動作を実行するために、モバイル電源を有する充電キャビネットのうちの１つに対応されたモータを制御し、生成されたものがモバイル電源を戻す制御命令であるとき、メイン制御ＭＣＵは、対応する動作を実行するために、モバイル電源を有さない充電キャビネットのうちの１つに対応されたモータを制御する。
【００３３】
[0036]  ユーザがモバイル電源を戻したいとき、充電キャビネット動き駆動モータは、モバイル電源を充電キャビネット中に移し、その後、適所検出センサは、モバイル電源が充電位置に移されたか否かを判断し、これが充電位置に移された場合、メイン制御ＭＣＵは、充電キャビネットドア駆動モータが逆転するように制御し、充電キャビネットドア駆動モータは、充電キャビネットドアを閉じる。
【００３４】
[0037]  実施形態４：
図４を参照して、本発明の実施形態４において提供されるモバイル電源のリース端末は、ＣＰＵ４１と、ＣＰＵ４１にそれぞれ接続されたネットワーク通信モジュール４２とメイン制御ＭＣＵ４３と、メイン制御ＭＣＵ４３にそれぞれ接続された少なくとも１つの充電モジュール４４と少なくとも１つの充電キャビネット動き駆動モータ４５と少なくとも１つのモバイル電源情報読み取りモジュール４６と少なくとも１つの充電キャビネットドア駆動モータ４７と少なくとも１つの充電キャビネットドアセンサ４８と少なくとも１つの第１の光電子センサ４９と少なくとも１つの適所検出センサ５０を含む。モバイル電源のリース端末はまた、ＣＰＵ４１にそれぞれ接続された入力モジュール５１、出力モジュール５２、リサイクル倉庫制御モジュール５３、及び、少なくとも１つの販売ライン制御モジュール５４を含む。入力モジュール５１は、タッチスクリーン又はキーボードであり得る。出力モジュール５２は、スピーカ及び／又はディスプレイであり得る。モバイル電源のリース端末はまた、リサイクリング倉庫制御モジュール５３にそれぞれ接続された第２の光電子センサ５５及びリサイクリング倉庫ドア駆動モータ５６を含む。モバイル電源のリース端末はまた、販売ライン制御モジュール５４にそれぞれ接続された第３の光電子センサ５７と、販売ライン制御モータ５８を含む。
【００３５】
[0038]  充電キャビネット動き駆動モータ４５、充電キャビネットドア駆動モータ４７、リサイクリング倉庫ドア駆動モータ５６、及び、販売ライン制御モータ５８は、ソフトウェア制御を用いてモータ回転スピード及び距離を正確に制御できるステッパーモータであり得る。これは、機械的衝撃を低減し、故障を低減し、及び、サービス寿命を延ばし得る。
【００３６】
[0039]  本発明の実施形態４において提供されるモバイル電源のリース端末は、主に、本発明の実施形態３において提供されるモバイル電源のリース端末とは、本発明の実施形態４において提供されるモバイル電源のリース端末の充電キャビネットが、ＣＰＵ４１にそれぞれ接続された入力モジュール５１、出力モジュール５２、リサイクリング倉庫制御モジュール５３、及び、販売ライン制御モジュール５４も含むという点で異なる。入力モジュール５１は、戻す命令を入力するために使用され、そしてまた、販売後メンテナンスのために使用される。出力モジュール５２は、モバイル電源のリース端末の識別番号及び／又はプロンプト情報を出力するために使用される。ＣＰＵ４１は、倉庫を開ける／閉じる命令をリサイクリング倉庫制御モジュール５３に送信するためにも使用され、販売ライン命令を販売ライン制御モジュール５４に送信するためにも使用される。倉庫を開ける／閉じる命令は、入力モジュール５１によって入力され得る、又は、リサイクリング倉庫制御モジュール５３は、クラウドサーバから、ネットワーク通信モジュール４２によって受信された倉庫を開ける／閉じる命令にしたがって、対応する倉庫を開ける／閉じる命令を生成するように制御され得る。販売ライン命令は、入力モジュール５１によって入力され得る、又は、販売ライン制御モジュール５４は、クラウドサーバから、ネットワーク通信モジュール４２によって受信された販売ライン命令にしたがって、対応する販売ライン命令を生成するように制御され得る。ＣＰＵ４１は、リサイクリング倉庫制御モジュール５３によって取得された情報を第２の光電子センサ５５から、及び、販売ライン制御モジュール５４によって取得された情報を第３の光電子センサ５７から受信して、ネットワーク通信モジュール４２を介して情報をクラウドサーバにフィードバックするためにも使用される。リサイクリング倉庫制御モジュール５３は、倉庫ドア駆動モータ５６の正転と逆転を制御するために使用され、第２の光電子センサ５５から、モバイル電源がリサイクリング倉庫中に置かれたか否かについての情報を得るためにも使用される。リサイクリング倉庫ドア駆動モータは、リサイクリング倉庫ドアを開ける又は閉じるために使用される。第２の光電子センサ５５は、モバイル電源がリサイクリング倉庫中に置かれたか否かを判断するために使用され、そしてまた、リサイクリング倉庫中に置かれたモバイル電源の数をカウントするためにも使用される。販売ライン制御モジュール５４は、販売ライン制御モータ５８の正転と逆転を制御するために使用され、第３の光電子センサ５７から、データラインが伸びるか否かについての情報を取得するためにも使用される。第３の光電子センサ５７は、データラインが伸びるか否かを判断するために使用される。
【００３７】
[0040]  本発明の実施形態４によって提供されるモバイル電源のリース端末は、充電キャビネットにおいて位置付けられているモバイル電源を滅菌するための、ＣＰＵに接続された少なくとも１つの滅菌モジュールも含んでもよく、１つの滅菌モジュールは、１つ以上の充電キャビネットに対応する。モバイル電源のリース端末は、モバイル電源のリース端末が安全か否かをチェックするために使用されるスモッグセンサや漏電スイッチ等のような、ＣＰＵに接続されたセーフティチェックモジュールも含み得る。
【００３８】
[0041]  上述の内容は、本発明のほんの好ましい実施形態であるが、この発明を限定するためには使用され得ない。本発明の精神及び原理内での任意の修正、同等な置き換え、及び改善等が、本発明の保護の範囲中に含まれるものとする。
【図１】
2018505647.tif 000003
【図２】
2018505647.tif 000004
【図３】
2018505647.tif 000005
【図４】
2018505647.tif 000006
【手続補正書】
【提出日】平成29年10月10日(2017.10.10)
【手続補正１】
【補正対象書類名】特許請求の範囲
【補正対象項目名】全文
【補正方法】変更
【補正の内容】
【特許請求の範囲】
【請求項１】
モバイル電源のリース端末であって、
前記リース端末は、ＣＰＵと、前記ＣＰＵにそれぞれ接続されたネットワーク通信モジュールとメイン制御ＭＣＵと、前記メイン制御ＭＣＵにそれぞれ接続された少なくとも１つの充電モジュールと少なくとも１つの充電キャビネット動き部材と少なくとも１つのモバイル電源情報読み取りモジュールを含み、各充電キャビネットは、１つの充電モジュールと１つの充電キャビネット動き駆動部材と１つのモバイル電源情報読み取りモジュールに対応し、
前記ＣＰＵは、前記ネットワーク通信モジュールによってクラウドサーバから受信されたリース命令にしたがって、対応するリース制御命令を生成するために前記メイン制御ＭＣＵを制御するために使用され、充電管理制御命令を生成するために前記メイン制御ＭＣＵを制御するためにも使用され、及び、前記メイン制御ＭＣＵによって取得された情報を受信して、前記ネットワーク通信モジュールを介して前記情報を前記クラウドサーバにフィードバックするためにも使用され、
前記メイン制御ＭＣＵは、前記充電キャビネットにおいて前記モバイル電源を充電するために、前記充電モジュールを制御するための前記充電管理制御命令を生成するために使用され、前記充電キャビネット動き部材の動きを制御するための前記リース制御命令を生成するためにも使用され、前記モバイル電源情報読み取りモジュールから、前記モバイル電源に関連する情報を得るためにも使用され、
前記充電モジュールは、前記充電キャビネットにおける前記モバイル電源を充電するために使用され、
前記充電キャビネット動き部材は、前記モバイル電源を、前記充電キャビネット中に、又は、前記充電キャビネットから、前記充電キャビネット動き部材の前記動きによって移すことを可能にするために使用され、
前記モバイル電源情報読み取りモジュールは、そこに接続された前記モバイル電源に関連する情報を読み取るために使用される、という点において特徴付けられる、
リース端末。
【請求項２】
前記充電キャビネット動き部材は、充電キャビネット動き駆動部材を備え、前記充電管理制御命令は、前記充電キャビネット動き駆動部材の動きを制御することによって、前記充電キャビネット動き部材の前記動きを制御する、という点で特徴付けられる、請求項１に記載のリース端末。
【請求項３】
前記充電キャビネット動き駆動部材は、充電キャビネット動き駆動モータを備え、前記充電キャビネット動き駆動モータの前記動きは、前記充電キャビネット動き駆動モータの正転と逆転を備える、という点で特徴付けられる、請求項２に記載のリース端末。
【請求項４】
前記リース端末は、前記メイン制御ＭＣＵに接続された少なくとも１つの充電キャビネットドア駆動モータも含み、各充電キャビネットは充電キャビネットドア駆動モータに対応し、
前記メイン制御ＭＣＵは、前記充電キャビネットドア駆動モータの前記正転と前記逆転を制御するためのリース制御命令を生成するためにも使用され、
前記充電キャビネットドア駆動モータは、前記充電キャビネットドアを開けて閉じるために使用される、という点で特徴付けられる、請求項１乃至３のいずれかに記載のリース端末。
【請求項５】
前記リース端末は、前記メイン制御ＭＣＵに接続された少なくとも１つの充電キャビネットドアセンサも含み、各充電キャビネットは、１つの充電キャビネットドアセンサに対応し、
前記充電キャビネットドアセンサは、充電キャビネットドアの開／閉状態を判断するために使用され、
前記メイン制御ＭＣＵは、前記充電キャビネットドアセンサから、前記充電キャビネットドアの前記開／閉状態の情報を得るためにも使用される、という点で特徴付けられる、請求項４に記載のリース端末。
【請求項６】
前記リース端末は、前記メイン制御ＭＣＵに接続された少なくとも１つの第１の光電子センサも含み、各充電キャビネットは、１つの第１の光電子センサに対応し、
前記第１の光電子センサは、前記モバイル電源が前記充電キャビネット中にあるか否かを判断するために使用され、
前記メイン制御ＭＣＵは、前記第１の光電子センサから、前記モバイル電源が前記充電キャビネット中にあるか否かについての情報を得るためにも使用され、
又は、
前記リース端末は、前記メイン制御ＭＣＵに接続された２つの第１の光電子センサも含み、各充電キャビネットは、２つの第１の光電子センサに対応し、ここにおいて、１つの第１の光電子センサは、前記モバイル電源が前記充電キャビネットドアに位置付けられているか否かを判断するために使用され、別の第１の光電子センサは、前記モバイル電源が取り除かれたか否かを判断するために使用され、前記メイン制御ＭＣＵは、前記２つの第１の光電子センサから、前記モバイル電源が、前記充電キャビネットドアに位置付けられているか否かについての情報と、前記モバイル電源が取り除かれたか否かについての情報を取得するためにも使用される、という点で特徴付けられる、請求項１乃至３のいずれかに記載のリース端末。
【請求項７】
前記リース端末は、前記メイン制御ＭＣＵに接続された少なくとも１つの適所検出センサも含み、各充電キャビネットは、１つの適所検出センサに対応し、
前記適所検出センサは、前記モバイル電源が前記充電位置に移されたか否かを判断するために使用され、
前記メイン制御ＭＣＵは、前記適所検出センサから、前記モバイル電源が前記充電位置に移されたか否かについての情報を得るためにも使用される、という点で特徴付けられる、請求項１乃至３のいずれかに記載のリース端末。
【請求項８】
前記リース端末は前記ＣＰＵに接続された入力モジュールも含み、前記入力モジュールは戻す命令を入力するために使用される、という点で特徴付けられる、請求項１乃至３のいずれかに記載のリース端末。
【請求項９】
前記リース端末は前記ＣＰＵに接続された出力モジュールも含み、前記出力モジュールは、前記モバイル電源の前記リース端末の識別番号及び／又はプロンプト情報を出力するために使用される、という点で特徴付けられる、請求項１乃至３のいずれかに記載のリース端末。
【請求項１０】
前記リース端末は、前記ＣＰＵに接続されたリサイクリング倉庫制御モジュールと、前記リサイクリング倉庫制御モジュールにそれぞれ接続された第２の光電子センサとリサイクリング倉庫ドア駆動モータも含み、
前記リサイクリング倉庫制御モジュールは、前記リサイクリング倉庫ドア駆動モータの正転と逆転を制御するために使用され、前記第２の光電子センサから、前記モバイル電源が前記リサイクリング倉庫中に置かれたか否かについての情報を得るためにも使用され、
前記リサイクリング倉庫ドア駆動モータは、前記リサイクリング倉庫ドアを開ける又は閉じるために使用され、
前記第２の光電子センサは、前記モバイル電源が前記リサイクリング倉庫中に置かれたか否かを判断するために使用され、
前記ＣＰＵは、倉庫を開ける又は閉じる命令を前記リサイクリング倉庫制御モジュールに送信するためにも使用され、前記リサイクリング倉庫制御モジュールによって取得された情報を前記第２の光電子センサから受信して、前記情報を前記ネットワーク通信モジュールを介して前記クラウドサーバにフィードバックするためにも使用される、という点で特徴付けられる、請求項１乃至３のいずれかに記載のリース端末。
【請求項１１】
前記リース端末は、前記ＣＰＵに接続された少なくとも１つの販売ライン制御モジュールと、前記販売ライン制御モジュールにそれぞれ接続された第３の光電子センサと販売ライン制御モータも含み、
前記販売ライン制御モジュールは、前記販売ライン制御モータの正転と逆転を制御するために使用され、前記第３の光電子センサから、データラインが伸びるか否かについての情報を取得するためにも使用され、
前記第３の光電子センサは、前記データラインが伸びるか否かを判断するために使用され、
前記ＣＰＵは、販売ライン命令を前記販売ライン制御モジュールに送信するためにも使用され、前記販売ライン制御モジュールによって取得された情報を前記第３の光電子センサから受信して、前記情報を前記ネットワーク通信モジュールを介して前記クラウドサーバにフィードバックするためにも使用される、という点で特徴付けられる、請求項１乃至３のいずれかに記載のリース端末。
【請求項１２】
前記リース端末は、前記ＣＰＵに接続された少なくとも１つの滅菌モジュールも含み、１つの滅菌モジュールは、１つ以上の充電キャビネットに対応する、という点で特徴付けられる、請求項１乃至３のいずれかに記載のリース端末。
【請求項１３】
前記リース命令は、携帯電話上のＡＰＰによって、前記クラウドサーバに送られる、という点で特徴付けられる、請求項１乃至３のいずれかに記載のリース端末。
【手続補正２】
【補正対象書類名】明細書
【補正対象項目名】００３８
【補正方法】変更
【補正の内容】
【００３８】
[0041]  上述の内容は、本発明のほんの好ましい実施形態であるが、この発明を限定するためには使用され得ない。本発明の精神及び原理内での任意の修正、同等な置き換え、及び改善等が、本発明の保護の範囲中に含まれるものとする。
以下に、本願出願時の特許請求の範囲に記載された発明を付記する。
［１］モバイル電源のリース端末であって、
前記リース端末は、ＣＰＵと、前記ＣＰＵにそれぞれ接続されたネットワーク通信モジュールとメイン制御ＭＣＵと、前記メイン制御ＭＣＵにそれぞれ接続された少なくとも１つの充電モジュールと少なくとも１つの充電キャビネット動き駆動モータと少なくとも１つのモバイル電源情報読み取りモジュールを含み、各充電キャビネットは、１つの充電モジュールと１つの充電キャビネット動き駆動モータと１つのモバイル電源情報読み取りモジュールに対応し、
前記ＣＰＵは、前記ネットワーク通信モジュールによってクラウドサーバから受信されたリース命令にしたがって、対応するリース制御命令を生成するために前記メイン制御ＭＣＵを制御するために使用され、充電管理制御命令を生成するために前記メイン制御ＭＣＵを制御するためにも使用され、及び、前記メイン制御ＭＣＵによって取得された情報を受信して、前記ネットワーク通信モジュールを介して前記情報を前記クラウドサーバにフィードバックするためにも使用され、
前記メイン制御ＭＣＵは、前記充電キャビネットにおいて前記モバイル電源を充電するために、前記充電モジュールを制御するための前記充電管理制御命令を生成するために使用され、前記充電キャビネット動き駆動モータの正転と逆転を制御するための前記リース制御命令を生成するためにも使用され、前記モバイル電源情報読み取りモジュールから、前記モバイル電源に関連する情報を得るためにも使用され、
前記充電モジュールは、前記充電キャビネットにおける前記モバイル電源を充電するために使用され、
前記充電キャビネット動き駆動モータは、前記モバイル電源を、前記充電キャビネット中に、又は、前記充電キャビネットから移すために使用され、
前記モバイル電源情報読み取りモジュールは、そこに接続された前記モバイル電源に関連する情報を読み取るために使用される、という点において特徴付けられる、
リース端末。
［２］前記リース端末は、前記メイン制御ＭＣＵに接続された少なくとも１つの充電キャビネットドア駆動モータも含み、各充電キャビネットは充電キャビネットドア駆動モータに対応し、
前記メイン制御ＭＣＵは、前記充電キャビネットドア駆動モータの前記正転と前記逆転を制御するためのリース制御命令を生成するためにも使用され、
前記充電キャビネットドア駆動モータは、前記充電キャビネットドアを開けて閉じるために使用される、という点で特徴付けられる、［１］に記載のリース端末。
［３］前記リース端末は、前記メイン制御ＭＣＵに接続された少なくとも１つの充電キャビネットドアセンサも含み、各充電キャビネットは、１つの充電キャビネットドアセンサに対応し、
前記充電キャビネットドアセンサは、充電キャビネットドアの開／閉状態を判断するために使用され、
前記メイン制御ＭＣＵは、前記充電キャビネットドアセンサから、前記充電キャビネットドアの前記開／閉状態の情報を得るためにも使用される、という点で特徴付けられる、［２］に記載のリース端末。
［４］前記リース端末は、前記メイン制御ＭＣＵに接続された少なくとも１つの第１の光電子センサも含み、各充電キャビネットは、１つの第１の光電子センサに対応し、
前記第１の光電子センサは、前記モバイル電源が前記充電キャビネット中にあるか否かを判断するために使用され、
前記メイン制御ＭＣＵは、前記第１の光電子センサから、前記モバイル電源が前記充電キャビネット中にあるか否かについての情報を得るためにも使用され、
又は、
前記リース端末は、前記メイン制御ＭＣＵに接続された２つの第１の光電子センサも含み、各充電キャビネットは、２つの第１の光電子センサに対応し、ここにおいて、１つの第１の光電子センサは、前記モバイル電源が前記充電キャビネットドアに位置付けられているか否かを判断するために使用され、別の第１の光電子センサは、前記モバイル電源が取り除かれたか否かを判断するために使用され、前記メイン制御ＭＣＵは、前記２つの第１の光電子センサから、前記モバイル電源が、前記充電キャビネットドアに位置付けられているか否かについての情報と、前記モバイル電源が取り除かれたか否かについての情報を取得するためにも使用される、という点で特徴付けられる、［１］に記載のリース端末。
［５］前記リース端末は、前記メイン制御ＭＣＵに接続された少なくとも１つの適所検出センサも含み、各充電キャビネットは、１つの適所検出センサに対応し、
前記適所検出センサは、前記モバイル電源が前記充電位置に移されたか否かを判断するために使用され、
前記メイン制御ＭＣＵは、前記適所検出センサから、前記モバイル電源が前記充電位置に移されたか否かについての情報を得るためにも使用される、という点で特徴付けられる、［１］に記載のリース端末。
［６］前記リース端末は前記ＣＰＵに接続された入力モジュールも含み、前記入力モジュールは戻す命令を入力するために使用される、という点で特徴付けられる、［１］に記載のリース端末。
［７］前記リース端末は前記ＣＰＵに接続された出力モジュールも含み、前記出力モジュールは、前記モバイル電源の前記リース端末の識別番号及び／又はプロンプト情報を出力するために使用される、という点で特徴付けられる、［１］又は［６］に記載のリース端末。
［８］前記リース端末は、前記ＣＰＵに接続されたリサイクリング倉庫制御モジュールと、前記リサイクリング倉庫制御モジュールにそれぞれ接続された第２の光電子センサとリサイクリング倉庫ドア駆動モータも含み、
前記リサイクリング倉庫制御モジュールは、前記リサイクリング倉庫ドア駆動モータの正転と逆転を制御するために使用され、前記第２の光電子センサから、前記モバイル電源が前記リサイクリング倉庫中に置かれたか否かについての情報を得るためにも使用され、
前記リサイクリング倉庫ドア駆動モータは、前記リサイクリング倉庫ドアを開ける又は閉じるために使用され、
前記第２の光電子センサは、前記モバイル電源が前記リサイクリング倉庫中に置かれたか否かを判断するために使用され、
前記ＣＰＵは、倉庫を開ける又は閉じる命令を前記リサイクリング倉庫制御モジュールに送信するためにも使用され、前記リサイクリング倉庫制御モジュールによって取得された情報を前記第２の光電子センサから受信して、前記情報を前記ネットワーク通信モジュールを介して前記クラウドサーバにフィードバックするためにも使用される、という点で特徴付けられる、［１］に記載のリース端末。
［９］前記リース端末は、前記ＣＰＵに接続された少なくとも１つの販売ライン制御モジュールと、前記販売ライン制御モジュールにそれぞれ接続された第３の光電子センサと販売ライン制御モータも含み、
前記販売ライン制御モジュールは、前記販売ライン制御モータの正転と逆転を制御するために使用され、前記第３の光電子センサから、データラインが伸びるか否かについての情報を取得するためにも使用され、
前記第３の光電子センサは、前記データラインが伸びるか否かを判断するために使用され、
前記ＣＰＵは、販売ライン命令を前記販売ライン制御モジュールに送信するためにも使用され、前記販売ライン制御モジュールによって取得された情報を前記第３の光電子センサから受信して、前記情報を前記ネットワーク通信モジュールを介して前記クラウドサーバにフィードバックするためにも使用される、という点で特徴付けられる、［１］に記載のリース端末。
［１０］前記リース端末は、前記ＣＰＵに接続された少なくとも１つの滅菌モジュールも含み、１つの滅菌モジュールは、１つ以上の充電キャビネットに対応する、という点で特徴付けられる、［１］に記載のリース端末。
【国際調査報告】
2018505647.tif 000007
2018505647.tif 000008
2018505647.tif 000009
2018505647.tif 000010